(57)【要約】【課題】多目的利用に適したアリーナ施設等の建物を提供する。【解決手段】アリーナ施設１は、固定観客席１２、１３、１４と、固定観客席１２、１３、１４に囲まれた中央スペース１１と、固定観客席１４と中央スペース１１の境界部に沿って配置された梁部２１と、を有し、梁部２１には人が移動するための床が設けられ、梁部２１の両端部が柱部２５で支持される。梁部２１は、対向する位置にある境界部のそれぞれに沿って設けられ、一対の梁部２１の間に、人が移動するための床が設けられた梁部２２、およびトラス状の梁部２３が架け渡される。さらに、梁部２１から外側の固定観客席１２、１４上に、H型鋼等の単一材による梁部２４が設けられる。梁部２１、２２には、照明３０等の演出装置も設けられる。【選択図】図１
2018204213.tif 000002
【特許請求の範囲】
【請求項１】
固定観客席と、
前記固定観客席に囲まれた中央スペースと、
平面視において前記固定観客席の前記中央スペース側の境界部に沿って配置された第１の梁部と、
を有し、
前記第１の梁部に、人が移動するための床が設けられたことを特徴とする建物。
【請求項２】
対向する位置にある前記境界部のそれぞれにそって前記第１の梁部が配置され、
一対の前記第１の梁部の間に、人が移動するための床が設けられた第２の梁部が架け渡されたことを特徴とする請求項１記載の建物。
【請求項３】
一対の前記第１の梁部の間に、第３の梁部がさらに架け渡されたことを特徴とする請求項２記載の建物。
【請求項４】
前記第１の梁部と第２の梁部の少なくともいずれかに、前記中央スペースの演出に用いる演出装置が設けられたことを特徴とする請求項１から請求項３のいずれかに記載の建物。
【請求項５】
前記第１の梁部の外側の前記固定観客席上に、前記第１の梁部から外側に延びるように単一材による第４の梁部が設けられたことを特徴とする請求項１から請求項４のいずれかに記載の建物。
【請求項６】
前記第１の梁部を支持する柱部に、人が移動するための床が設けられたことを特徴とする請求項１から請求項５のいずれかに記載の建物。
【発明の詳細な説明】
【技術分野】
【０００１】
本発明は、アリーナ施設等の建物に関する。
【背景技術】
【０００２】
バスケットやバレー等、様々な屋内スポーツのプロ化に伴い、競技スペースの周囲に多数の観客席を設けた体育館（アリーナ）が全国に建設されている。
【０００３】
このようなアリーナでは、大スパンの大屋根が架けられることが多い。大屋根の構造は、必要な天井高さを確保したうえで、構造的・経済的合理性、およびデザイン面などからその形式が決まることが多く、建物の端から端まで大掛かりな梁を架け渡してその上に屋根材を設け、均質な大空間を形成することが一般的である。
【先行技術文献】
【特許文献】
【０００４】
【特許文献１】特開2016-089455号公報
【発明の概要】
【発明が解決しようとする課題】
【０００５】
現在、このようなアリーナを有効活用するため、競技スペースの広さや観客席の多さを活かして様々なイベントに利用できる多目的アリーナが求められている。
【０００６】
しかしながら、従来のアリーナの屋根架構は、上記のような多目的利用の観点からは設計されておらず、スポーツ以外の様々なイベントを行ってもそれを魅力あるものにすることが難しかった。
【０００７】
本発明は上記の問題に鑑みてなされたものであり、多目的利用に適したアリーナ施設等の建物を提供することを目的とする。
【課題を解決するための手段】
【０００８】
前述した課題を解決するための本発明は、固定観客席と、前記固定観客席に囲まれた中央スペースと、平面視において前記固定観客席の前記中央スペース側の境界部に沿って配置された第１の梁部と、を有し、前記第１の梁部に、人が移動するための床が設けられたことを特徴とする建物である。
【０００９】
また、対向する位置にある前記境界部のそれぞれにそって前記第１の梁部が配置され、一対の前記第１の梁部の間に、人が移動するための床が設けられた第２の梁部が架け渡されることが望ましい。
【００１０】
さらに、一対の前記第１の梁部の間に、第３の梁部がさらに架け渡されることが望ましい。
また、前記第１の梁部と第２の梁部の少なくともいずれかに、前記中央スペースの演出に用いる演出装置が設けられることが望ましい。
加えて、前記第１の梁部の外側の前記固定観客席上に、前記第１の梁部から外側に延びるように単一材による第４の梁部が設けられることが望ましい。
また、前記第１の梁部を支持する柱部に、人が移動するための床が設けられることも望ましい。
【００１１】
本発明では、中央スペースと固定観客席の境界部に第１の梁部を設け、この第１の梁部を、中央スペースの演出のために関係者が容易に動き回ることができる床付のものとし、演出装置の設置空間を第１の梁部に確保することで、劇場のポータルブリッジのように中央スペースの多様な演出を可能とする演出機能を第１の梁部に持たせることができる。
【００１２】
また、対向する位置に配置された第１の梁部の間にある中央スペース上の第２の梁部も同様の構成として演出機能を持たせ、中央スペース上からの演出に利用できるようして、演出対象となる中央スペースを様々な角度から演出ができるようになる。
【００１３】
このように、第１、第２の梁部は中央スペースで行う多様なイベントの魅力を高めるために求められる演出機能に合致し、多目的利用の可能性を広げることができる。さらに、本発明では第１の梁部を支持する柱部にも同様の演出機能を持たせることができる。またこれらの梁部や柱部はバックステージツアー等に活用することも可能である。
【００１４】
さらに、中央スペースと固定観客席の境界部に第１の梁部が設けられているので、構造上の要求等から第１の梁部の間に第３の梁部を架け渡す際にも、第３の梁部の支点間距離が短くなり、第３の梁部のスパンを抑え、梁せいも低減でき低コストとなる。また、中央スペースを取り巻く固定観客席上の第４の梁部もH型鋼などの単一材で架け渡すことができるようになり、コストを削減でき、シンプルになった固定観客席の天井空間を利用して観客席空間を快適なものとできる。
【発明の効果】
【００１５】
本発明により、多目的利用に適したアリーナ施設等の建物を提供することができる。
【図面の簡単な説明】
【００１６】
【図１】アリーナ施設１を示す図。
【図２】アリーナ施設１を示す図。
【図３】アリーナ施設１の梁部２１、２２、２３、２４を示す斜視図。
【発明を実施するための形態】
【００１７】
以下、図面に基づいて本発明の好適な実施形態について詳細に説明する。
【００１８】
図１、２は本発明の実施形態に係るアリーナ施設１（建物）を示す図である。図１、２の（ａ）はアリーナ施設１の平面を示す図であり、（ｂ）は鉛直面の構成を示す図である。図１は可動観客席１５を収納した状態、図２は可動観客席１５を引き出した状態を示している。また図３はアリーナ施設１の梁部２１、２２、２３、２４を示す斜視図である。
【００１９】
図１に示すように、アリーナ施設１は、中央スペース１１を固定観客席１２、１３、１４で囲んだ構成を有する多目的アリーナである。
【００２０】
中央スペース１１は、競技場やトラック、コンサート会場などとして使用可能な略長方形状平面の平土間部分である。
【００２１】
固定観客席１４は床レベルから所定高さのスタンド上に設けられ、中央スペース１１の周囲に配置される。固定観客席１２、１３は固定観客席１４の外側のさらに高いスタンド上に設けられる。固定観客席１２は中央スペース１１の長辺方向に沿って配置され、固定観客席１３は中央スペース１１の短辺方向に沿って配置される。なお、外側とは中央スペース１１から遠い側を指すものとする。その逆は内側という。
【００２２】
固定観客席１４の下方のスタンド内には可動観客席が収納されており、例えば中央スペース１１をバスケットボールなどの競技に使用する場合に中央スペース１１の周囲の床レベルに引き出して用いられる（図２の符号１５参照）。これにより、固定観客席１２、１３、１４と可動観客席１５とを併せて計1万席程度の観客数に対応可能となっている。
【００２３】
アリーナ施設１は、さらに、４種類の梁部２１、２２、２３、２４の上に屋根材２０を設けて構成された大屋根架構を有している。このうち梁部２１、２２についてはその平面位置を図１（ａ）、図２（ａ）の点線で図示している。
【００２４】
梁部２１（第１の梁部）は、固定観客席１４の中央スペース１１の長辺側の境界部の上方に設けられる大スパンの梁である。梁部２１は、平面視において、中央スペース１１を挟んで対向する位置にある境界部のそれぞれに沿って配置される。
【００２５】
梁部２１は箱型の形状を有し、側面にはトラス材（斜材）が設けられる。梁部２１の両端部は柱部２５によって支持され、梁部２１と柱部２５とで門型の形状を成している。柱部２５は、固定観客席１２の長手方向の端部と、固定観客席１３の外側の端部の間に設けられる。
【００２６】
梁部２２（第２の梁部）は、一対の梁部２１の長手方向の中央部間を結ぶように架け渡される。梁部２２も梁部２１と同様、箱型の形状を有し、側面にはトラス材が設けられる。なお、梁部２１、２２の側面のトラス材は省略可能である。
【００２７】
梁部２１、２２には、中央スペース１１を演出空間として演出する際に関係者が入れるように、人が移動するための床２１１、２２１（図３のグレー部分参照）が設けられる。床２１１、２２１にはエキスパンドメタル等を用いることができるが、特に限定されない。
【００２８】
梁部２１、２２の両方、あるいは梁部２１、２２の少なくともいずれかには、中央スペース１１の演出に用いる演出装置を設けることができる。演出装置は例えば照明、映写装置、音響機器、吊下式のモニターなどであり、関係者の操作によって演出を行うことができる。図１、２の（ｂ）にはこのような演出装置の例として照明３０を示している。その他、梁部２１には撮影用のカメラなども設けることができる。
【００２９】
なお、本実施形態では柱部２５も箱型の形状を有し、人が昇降して梁部２１に移動できるようになっている。この柱部２５も、中央スペース１１の演出のために関係者が入れるように、人が移動するための床２５１（図３のグレー部分参照）を有し、上記の演出装置を設けることが可能である。
【００３０】
梁部２３（第３の梁部）は、一対の梁部２１間を結ぶように架け渡される立面トラス状の梁である。梁部２３は、梁部２２の両側において、梁部２１の長手方向に間隔を空けて複数配置される。
【００３１】
梁部２４（第４の梁部）は、両梁部２１の外側の固定観客席１２、１４の上方に架設される梁であり、両梁部２１から外側に延びるように設けられる。梁部２４は例えばH型鋼などの単一材であり、梁部２１の長手方向に間隔を空けて複数配置される。
【００３２】
以上説明したように、本実施形態では、中央スペース１１と固定観客席１４の境界部に梁部２１を設け、この梁部２１を、中央スペース１１の演出のために関係者が容易に動き回ることができる床付のものとし、演出装置の設置空間を梁部２１に確保することで、劇場のポータルブリッジのように中央スペース１１の多様な演出を可能とする演出機能を梁部２１に持たせることができる。例えば演者や競技者に斜め方向から照明を当てることで演者や競技者を強調し、際立たせることができる。
【００３３】
また、対向する位置に配置された梁部２１の間にある中央スペース１１上の梁部２２も同様の構成として演出機能を持たせ、中央スペース１１上からの演出に利用できるようして、演出対象となる中央スペース１１を様々な角度から演出ができる。
【００３４】
このように、本実施形態の梁部２１、２２は中央スペース１１で行う多様なイベントの魅力を高めるために求められる演出機能に合致し、多目的利用の可能性を広げることができる。さらに、本実施形態では梁部２１を支持する柱部２５も同様の演出機能を有している。そのため、従来のスポーツ空間としてのニーズに基づき建設されるアリーナ施設を、多様なイベントが行える多目的アリーナに変換することができ、従来のアリーナ施設と差別化して多様なイベントを誘致することができる。また梁部２１、２２や柱部２５はバックステージツアー等に活用することも可能である。
【００３５】
さらに、中央スペース１１と固定観客席１４の境界部に梁部２１が設けられているので、構造上の要求等から梁部２１の間に梁部２３を架け渡す際にも、梁部２３の支点間距離が短くなり、梁部２３のスパンを抑え、梁せいも低減でき低コストとなる。また、中央スペース１１を取り巻く固定観客席１２、１４上の梁部２４もH型鋼などの単一材による単純梁で架け渡すことができるようになり、コストを削減でき、シンプルになった固定観客席１２、１４の天井空間を利用して観客席空間を快適なものとできる。このように、本実施形態の屋根架構は構造的合理性とも合致したものとなっている。
【００３６】
しかしながら、本発明はこれに限らない。例えば梁部２１、２２は箱型のものであるが、人が移動するための床付のものであればその構造は特に限定されない。前記した柱部２５についても同様である。また梁部２２は一対の梁部２１の長手方向の中央部間を結ぶように配置したが、その位置も特に限定されず、例えば一対の梁部２１の端部同士を結ぶように配置してもよい。
【００３７】
さらに、本実施形態ではアリーナ施設の例を説明したが、これに限ることは無く、中央スペースの周囲を固定観客席で囲んだ構成を有する建物であれば本実施形態と同様の梁部の構成を適用可能である。観客席の配置の詳細や建物の平面形状等も特に限定されない。
【００３８】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００３９】
１：アリーナ施設
１１：中央スペース
１２、１３、１４：固定観客席
１５：可動観客席
２０：屋根材
２１、２２、２３、２４：梁部
２５：柱部
２１１、２２１、２５１：床
【図１】
2018204213.tif 000003
【図２】
2018204213.tif 000004
【図３】
2018204213.tif 000005